(57)【要約】クランクシャフト（１５）を中心とする液圧ピストン・シリンダアセンブリ（５０）の径方向配列であって、クランクシャフト（１５）上で長手方向に離間した複数の液圧シリンダ・ピストンアセンブリ（５０）と、クランクシャフト（１５）の偏心率を変化させるための手段（１００）とを有し、各液圧シリンダ内でのピストンの往復運動の結果、クランクシャフト（１５）の長手軸を中心とするクランクシャフト（１５）の回転運動が生じる、作動液圧力を入出力手段（５）の回転運動と交換する液圧機械。【選択図】図２
2007516380.tif 000002
【特許請求の範囲】
【請求項１】
作動液圧力を出力手段の回転運動と交換できる液圧機械であって、該出力手段に結合された少なくとも１本のクランクシャフトを中心とする複数のピストン・シリンダアセンブリの径方向配列であって該クランクシャフト上で長手方向に離間した複数のシリンダ・ピストン・アセンブリと、該クランクシャフトの偏心率を変化させるための手段とを有する液圧機械。
【請求項２】
各ピストンが接続ロッドにより前記クランクシャフトに接続され、前記カウンタシャフトと該接続ロッドとの間に球面ベアリングが設けられる、請求項１に記載の液圧機械。
【請求項３】
前記クランクシャフトの偏心率を変化させる前記手段が、前記ピストンのストローク長をゼロと最大ストローク長との間で変化させる、請求項１または２に記載の液圧機械。
【請求項４】
前記クランクシャフトの前記偏心率を変化させるための前記手段が該クランクシャフトの各端部に設けられ、
内側シリンダおよびクランクシャフトの長手軸が平行でオフセットするように各々のクランクシャフトが中に収容される中空偏心円筒形コアを備える内側シリンダと、
前記外側シリンダおよび内側シリンダの長手軸が平行でオフセットするように該内側シリンダが中に収容される中空偏心円筒形コアを備える外側シリンダと、
前記外側シリンダが中に収容される偏心中空円筒形コアを備える円筒形メインベアリングと、
前記外側および内側シリンダを同時に回転させて、各々のクランクシャフトの両端部において前記メインベアリングおよび前記クランクシャフトの長手軸の間の距離を変化させるように作動することができる駆動手段と、
を含む、請求項３に記載の液圧機械。
【請求項５】
前記クランクシャフトの各端部において前記駆動手段が、
リングの内外面の両方に歯を備えるリングギヤと、
前記内側および外側シリンダの各々の端部の周囲の一組の歯と、
前記リングギヤから前記内側および外側シリンダへ回転を伝達するギヤトレーンであって、該リングギヤが各々のメインベアリングによって支持され、該メインベアリングが、該リングギヤと嵌合するように該ギヤトレーンが延在する切欠き部分を有する、ギヤトレーンと、
を含む、請求項４に記載の液圧機械。
【請求項６】
前記メインベアリングが前記外面に歯を有し、前記リングギヤが各々のメインベアリングの該歯に隣接して設けられ、前記駆動手段がさらに、
シャフト表面に形成されたらせんと、シャフトが前記メインベアリングとともに回転するように該メインベアリングの各々の前記歯と嵌合するピニオンギヤとを備えるシャフトと、
前記シャフトの前記らせんと嵌合する内側らせんと、該シャフトに対して径方向である少なくとも１個の突出部とを備える少なくとも１個のナットと、
前記シャフトが中に延在する少なくとも１個の中空円筒形外装であって、各端部に２個の小ピニオンギヤを有する少なくとも１個の外装であり、各浅いピニオンギヤが前記駆動手段のリングギヤと嵌合し、該少なくとも１個の外装が、前記少なくとも１個の突出部が延出する少なくとも１個の長手方向スロットを有する、
請求項５に記載の液圧機械。
【請求項７】
前記ナットを前記シャフト上で長手方向に移動させることにより前記駆動手段が作動し、前記外装が該シャフトに対して回転することができる、請求項６に記載の液圧機械。
【請求項８】
前記ナットを長手方向に移動させると、前記リングギヤを前記メインベアリングに対して前進または遅延させる、請求項７に記載の液圧機械。
【請求項９】
前記内側および外側シリンダの両方が釣合いおもりを有する、請求項８に記載の液圧機械。
【請求項１０】
前記メインベアリングの各々について、各々のメインベアリングの前記歯と嵌合するピニオンギヤを有する少なくとも１本のレイシャフトを含むことにより、該メインベアリングの各々へ印加されるトルクが、前記クランクシャフトへ伝達されるのでなく、該少なくとも１本のレイシャフトを介して伝達される、請求項１〜９のいずれか一項に記載の液圧機械。
【請求項１１】
各々のクランクシャフトが回転する際に前記液圧ピストン・シリンダアセンブリが往復するように、該液圧シリンダ・ピストンアセンブリが前記ハウジングに支持される、請求項１〜１０のいずれか一項に記載の液圧機械。
【請求項１２】
各液圧ピストン・シリンダアセンブリの前記ヘッドが、前記ハウジングに支持された一対のスラストブロックの間に支持される、請求項１１に記載の液圧機械。
【請求項１３】
前記液圧ピストン・シリンダアセンブリの前記ヘッドが少なくとも部分的に球形を有する、請求項１２に記載の液圧機械。
【請求項１４】
各スラストブロック対が前記液圧シリンダの前記ヘッドの相補形状を有する、請求項１３に記載の液圧機械。
【請求項１５】
前記液圧シリンダ・ピストンアセンブリが前記クランクシャフトに装着され、間の角度が同じである、請求項１〜１４のいずれか一項に記載の液圧機械。
【請求項１６】
５個の液圧シリンダ・ピストンアセンブリが前記クランクシャフトを中心として７２°間隔に設けられる、請求項１〜１５のいずれか一項に記載の液圧機械。
【発明の詳細な説明】
【技術分野】
【０００１】
本発明は、他には静水圧駆動装置または液圧機械として知られる液圧モータ／ポンプに関連する。
【背景技術】
【０００２】
液圧ポンプ／モータは、マテリアル・ハンドリング、採鉱、製造業を含む多くの産業での用途を持つ。
【０００３】
液圧モータ／ポンプは二種類の方法のうちの一方で作動することができる。一動作モードでは、入力媒体は加圧作動液であり、出力は回転運動である。液圧モータ／ポンプに回転運動が提供されるように、プロセスは逆転できる。この第二動作モードでは、作動液がモータ／ポンプから供給される。
【０００４】
他の多くの望ましい特徴のうち、液圧モータ／ポンプの長所の一つは、一般的に総合効率が優れていることである。
【０００５】
しかし、多くの液圧モータ／ポンプには明らかな短所が見られる。トルクと速度の兼ね合いが存在するため、モータ速度が上昇すると出力トルクが低下し、その逆も当てはまる。
【０００６】
先行技術による液圧モータ／ポンプは一般的に、出力シャフトに接続された偏心ディスクを有する。一組の液圧シリンダ・ピストンアセンブリが、出力シャフトの回転軸を中心として径方向（「星形」または「扇形」としても知られる）構成で配置されている。一般的に、このような液圧シリンダアセンブリは５個設けられる。
【０００７】
偏心ディスクが回転するように、ピストンは、調整された形でディスクのエッジへ断続的に力を印加する。力を印加した後に、偏心ディスクにより各ピストンの後退が実施される。
【０００８】
（駆動動作モードで）モータのトルクを変化させるため、このようなモータの中には、出力シャフトと偏心ディスクの中心との間に小型ピストンが装着されているものもある。小型ピストンの長さを変更することにより、ディスクの偏心率が変化する。
【０００９】
同様に供給動作モードでは、小型ピストンの長さを変更することによって流体流量および／または出力流体圧力を変えることができる。
【００１０】
このような先行技術液圧モータ／ポンプの短所の一つは、出力シャフト速度が液圧シリンダの液流通能力を超えた時にピストンが偏心ディスクから離れることである。この結果、液圧モータ／ポンプが完全に故障する。
【００１１】
可変偏心ディスクを有する先行技術装置の別の短所は、可能な偏心率範囲が制限されることである。一般的に、ゼロ偏心率状況は可能でない。
【００１２】
さらに別の短所は、小型ピストンでは偏心率が細かく変動して望ましくないことである。このような変動は、液の性質とシステムの弾性の結果である。
【発明の開示】
【発明が解決しようとする課題】
【００１３】
液圧モータ／ポンプから高い総合効率を得るには、高速において同時に高いトルクを発生できる装置の必要性がある。
【課題を解決するための手段】
【００１４】
本発明によれば、作動液圧力を出力手段の回転運動と交換することのできる液圧機械が設けられ、かかる液圧機械は、出力手段に結合された少なくとも１本のクランクシャフトを中心とする複数の液圧ピストン・シリンダアセンブリの径方向配列であって、クランクシャフト上で長手方向に離間する液圧シリンダ・ピストンアセンブリと、クランクシャフトの偏心率を変化させるための手段とを有する。
【００１５】
好ましくは、各ピストンは接続ロッドによって少なくとも１本のクランクシャフトに接続される。
【００１６】
好ましくは、各接続ロッドと各々のクランクシャフトとの間に球面ベアリングが設けられる。
【００１７】
好ましくは、ピストンのストローク長がゼロと最大ストローク長との間で変化するように、少なくとも１本のクランクシャフトの偏心率を変化させることができる。
【００１８】
好ましくは、少なくとも１本のクランクシャフトの偏心率を変化させるための手段は、少なくとも１本のクランクシャフトの各端部に設けられた、
内側シリンダおよびクランクシャフトの長手軸が平行でオフセットするように各々のクランクシャフトが中に収容される中空偏心円筒形コアを備える内側シリンダと、
外側シリンダおよび内側シリンダの長手軸が平行でオフセットするように内側シリンダが中に収容される中空偏心円筒形コアを備える外側シリンダと、
外側シリンダが中に収容される偏心中空円筒形コアを備える円筒形メインベアリングと、
駆動手段と、
を含み、
外側および内側シリンダを同時に回転させて、各々のクランクシャフトの両端部におけるメインベアリングおよびクランクシャフトの長手軸の間の距離を変化させるように、駆動手段が作動することができる。
【００１９】
好ましくは、少なくとも１本のクランクシャフトの各端部において駆動手段は、
リングの内面と外面の両方に歯を備えるリングギヤと、
内側および外側シリンダの各々の端部の周囲の一組の歯と、
リングギヤから内側および外側シリンダへ回転を伝達するギヤトレーンと、
を含み、
リングギヤが各々のメインベアリングによって支持され、メインベアリングが、リングギヤと嵌合するようにギヤトレーンが延在する切欠き部分を有する。
【００２０】
好ましくは、メインベアリングが外面に歯を有し、リングギヤが各々のメインベアリングの歯に隣接して設けられ、駆動手段がさらに、
シャフト表面に形成されたらせんと、シャフトがメインベアリングとともに回転するようにメインベアリングの各々の歯と嵌合するピニオンギヤとを備えるシャフトと、
シャフトのらせんと嵌合する内側らせんと、シャフトに対して径方向である少なくとも１個の突出部とを備える少なくとも１個のナットと、
シャフトが中に延在する少なくとも１個の中空円筒形外装であって、外装の各端部に２個の小ピニオンギヤを有する外装であり、各浅いピニオンギヤが駆動手段のリングギヤと嵌合し、少なくとも１個の突出部が延出する少なくとも１個の長手方向スロットを有する少なくとも１個の外装と、
を含む。
【００２１】
好ましくは、シャフト上でナットを長手方向に移動させることにより駆動手段が作動し、外装はシャフトに対して回転できる。
【００２２】
より好ましくは、ナットを長手方向に移動させると、メインベアリングに対してリングギヤを前進または遅延させる。
【００２３】
好ましくは、内側および外側シリンダの両方は、それぞれ釣合いおもりを有する。
【００２４】
好ましくは、液圧機械はさらに、各々のメインベアリングの歯と嵌合するピニオンギヤをメインベアリングの各々について有する少なくとも１本のレイシャフトを含む。
【００２５】
こうして、メインベアリングの各々に印加されるトルクは、クランクシャフトを介して伝達されるのでなく、少なくとも１本のレイシャフトを介して伝達される。
【００２６】
好ましくは、各々のクランクシャフトが回転する際に液圧シリンダ・ピストンアセンブリが往復できるように、液圧シリンダ・ピストンアセンブリのヘッドがハウジングに支持される。
【００２７】
好ましくは、各液圧シリンダ・ピストンアセンブリのヘッドは、ハウジングに支持された一対のスラストブロックの間に支持される。
【００２８】
好ましくは、液圧シリンダ・ピストンアセンブリのヘッドは球形を少なくとも部分的に有する。より好ましくは、各スラストブロック対は、液圧シリンダのヘッドの相補形状を持つ。
【００２９】
好ましくは、少なくとも１本のクランクシャフトの各々に装着された液圧シリンダ・ピストンアセンブリの間には等しい角度が設けられる。
【００３０】
より好ましくは、少なくとも１本のクランクシャフトを中心として７２°の間隔で、５個の液圧シリンダ・ピストンアセンブリが設けられる。
【発明を実施するための最良の形態】
【００３１】
本発明がさらに容易に理解されるように、以下、添付図面を参照して実施例を単なる例として説明する。
【００３２】
図１から６は、本発明の実施例による液圧機械１を示している。液圧機械１はハウジング１０に収容されている。液圧機械１は、回転軸（図示せず）を中心として液圧機械１へ、または液圧機械から回転運動を伝達するために相補的動力継手に接続される動力継手５を有する。
【００３３】
図２は、ハウジング１０が除去された液圧機械１を示す。液圧機械１は、５個のシリンダアセンブリ５０によるバンク２０の各々が径方向に配列された２本のクランクシャフト１５を有する。こうしてこの実施例の液圧機械１は、１０個のシリンダアセンブリ５０を有する。
【００３４】
液圧機械１は、バンク２０をいかなる整数個でも有することができる。ゆえに、本発明による液圧機械１におけるシリンダアセンブリ５０の総数は、バンク２０あたりのシリンダアセンブリ５０の数の倍数、つまりシリンダアセンブリは５個、１０個、１５個である。
【００３５】
図３から５は、回転軸に沿って眺めた際の液圧機械１の図である。
【００３６】
図３と４から分かるように、各バンク２０の５個のシリンダアセンブリ５０は回転軸を中心として等角度で配列されている。こうして、回転軸について測定すると、隣接する各シリンダアセンブリ対５０の間の角度は７２°である。
【００３７】
図２と６は、回転軸がページの面上にあるように液圧機械１を平面図で示す。各シリンダアセンブリ５０は、接続ロッド５５によって各々のクランクシャフト１５に直接装着されている。各シリンダアセンブリ５０に接続ロッド５５が設けられているので、各バンク２０のシリンダアセンブリ５０は、回転軸に対して長手方向にオフセットしている。したがって、各バンク２０の接続ロッド５５は、各々のクランクシャフト１５上において並置状態で配列されている。
【００３８】
図５は、図１のＢ‐Ｂ線から見た液圧機械１の断面図を示す。ゆえに図５は、液圧機械１のバンク２０の端面図を示す。
【００３９】
図７から１１は、シリンダアセンブリ５０とクランクシャフト１５の様々な図を示す。シリンダアセンブリ５０は、バンク２０の５個のシリンダアセンブリのうちの１個である。
【００４０】
各シリンダアセンブリ５０は、外側スラストブロック６０と内側スラストブロック６５によって支持されている。スラストブロック６０，６５はハウジング１０に装着されている。各シリンダアセンブリ５０のヘッド７０は球形を持つ。スラストブロック６０，６５はヘッド７０を位置決めするが、クランクシャフト１５の位置が変化する際にはシリンダヘッド７０を往復させる。
【００４１】
接続ロッド５５とロッドキャップ５６との間には、球面ベアリング７５が保持されている。球面ベアリング７５はクランクシャフト１５を囲繞し、接続ロッド５５に対するクランクシャフト１５の自由相対回転運動を付与する。ロッドキャップ５６は、２本の大型エンドボルト８０により接続ロッド５５に装着されている。
【００４２】
この構成により、各シリンダアセンブリ５０のピストン８５は、接続ロッド５５とロッドキャップ５６との構成によってクランクシャフト１５に確実に装着される。こうして、液圧モータの速度範囲は、作動液の流動特性のみによって制限される。
【００４３】
作動液は、２個の流体ポート９５を介してシリンダヘッド７０に対して供給および排出される。
【００４４】
図１０は、シリンダアセンブリ５０の断面を示す。ピストン８５は接続ロッド５５に直接装着されている。
【００４５】
シリンダボアが狭すぎるので、大きな力を処理するのに充分な断面積を持つガジオンピンをシリンダ内に配置することはできない。ゆえに、接続ロッド５５により必要とされる角運動を行うため、シリンダヘッド７０は球形に設計されている。
【００４６】
シリンダヘッド７０は、外側および内側スラストブロック６０，６５の間に保持されている。スラストブロック６０，６５の表面６２，６７は、シリンダヘッド７０の球形を補うように凹状である。クランクシャフト１５の長手軸に対して平行な軸を中心に、シリンダヘッド７０は自由に往復する。
【００４７】
図１１は、図９のＢ‐Ｂ線におけるクランクシャフト１５とシリンダアセンブリ５０の断面を示す。作動液は、流体ポート９５を介してシリンダアセンブリ５０へ導入されるとともにシリンダアセンブリから排出される。
【００４８】
図１２は、動力継手５と一対のクランクアセンブリ２５とを示す。各バンク２０について１個のクランクアセンブリ２５が設けられている。各バンク２０には、一対のストローク調整機構１００も設けられている。一対のストローク調整機構１００は、各々のクランクシャフト１５の行程を調整するように協働する。クランクシャフト１５の行程を調整することにより、液圧機械の排出量は可変となる。言い換えると、シリンダアセンブリ５０のストローク長を変化させることにより、行程容積を増減することができるのである。ゆえに、液圧機械１は速度範囲全体にわたって、無段比伝達を行う。
【００４９】
２個のメインベアリング１０５（クランクシャフト１５の各端部に１個）は、ストローク調整機構１００を含む。その結果、トルクを伝達するのにメインベアリング１０５は使用できない。
【００５０】
（液圧機械１の動作モードに応じて）出力または入力トルクを伝達するには、各メインベアリング１０５でトルクを集める必要がある。これは、レイシャフト１１０（図１３参照）を用いて実施される。好適な実施例では、２本のレイシャフト１１０が使用される。
【００５１】
レイシャフト１１０は、メインベアリング１０５の各々に装着されたブルギヤ１２０と各々が嵌合するピニオンギヤ１１５を有する。レイシャフト１１０は、ブルギヤ１２０からのトルクを集め、また、ブルギヤ１２０間の同期化を維持する役割を果たす。
【００５２】
ピストン８５のストローク長を制御するため、ブルギヤ１２０にはらせんシャフト１２５が結合されている。らせんシャフト１２５はトルクの伝達には使用されないが、ブルギヤ１２０との同期状態に維持される。
【００５３】
シリンダアセンブリ５０の各バンク２０について、らせんシャフト１２５にらせん１３０が形成され、らせんナット１３５が嵌着している。らせんナット１３５は突出部１４０を有する。各バンク２０には、外装１４５も設けられている（図１４参照）。各外装１４５は、各端部に浅いピニオンギヤ１５０を有する。外装１４５は、らせんシャフト１２５を囲繞する。
【００５４】
突出部１４０は、外装１４５のスロット１５５と嵌合する。らせんナット１３５は回転の際に、らせんシャフト１２５上を長手方向に移動する。ゆえに、このようならせんナット１３５の長手方向移動によって、関連の外装１４５が回転する。
【００５５】
各ピニオンギヤ１５０は、ブルギヤ１２０に隣接して配置されたリングギヤ１６０と、クランクシャフト１５と同じ側で嵌合する。各リングギヤ１６０は、メインベアリング１０５上で回転自在である。らせんシャフト１２５上でらせんナット１３５が長手方向に移動すると、各々のバンク２０の２個のリングギヤ１６０が回転する。この機構は、液圧機械１がいかなる速度または負荷で作動していてもリングギヤ１６０を回転させる手段となる。
【００５６】
リングギヤ１６０は、ストローク調整機構１００を駆動する。ゆえに、らせんナット１３５の長手方向移動によって、ストローク調整機構１００を駆動する手段が得られる。
【００５７】
ストローク調整機構１００は、図１５から２０に図示されている。
【００５８】
メインベアリング１０５は、ベアリング１０５内に偏心状態で配置された中空円筒形部分を備える円筒体である。一対の偏心リング１９０，１９５が実際のストローク変化を与える。
【００５９】
中空円筒形部分を備える円筒体形状の外側偏心リング１９０。外側偏心リング１９０の円筒体の直径は、メインベアリング１０５の中空部分のボアの中に回転自在に収容されるような幾何学的寸法を持つ。
【００６０】
外側偏心リング１９０の第１端部の一部分は、一組の歯１９５を備える。他の端部は、釣合いおもり２００を備える。
【００６１】
中空円筒形部分を備える円筒体形状の内側偏心リング２０５。内側偏心リング２０５の円筒体の直径は、外側偏心リング１９０の中空部分のボアの中に回転自在に支持されるような幾何学的寸法を持つ。
【００６２】
内側偏心リング２０５の第１端部の一部分は、一組の歯２１０を備える。他の端部は釣合いおもり２１５を備える。
【００６３】
クランクシャフト１５の各端部は、内側偏心リング２０５の中空部分の中に保持されている。クランクシャフト１５を各々のメインベアリング１０５に対して径方向に移動させることにより、クランクシャフト１５の行程が変化する。この径方向移動は、外側偏心リング１９０を第１方向に回転させるのと同時に内側偏心リング２０５を反対方向に回転させることにより実施される。偏心リング１９０，２０５の回転速度は同じである。
【００６４】
各リングギヤ１６０の内面には、一組の歯１６５が形成されている。歯１６５は、ギヤトレーン１７０の第１一次ギヤ１７５の歯と嵌合する。第１一次ギヤ１７５は、外側偏心リング１９０の歯１９５と嵌合する。
【００６５】
第２一次ギヤ１８０は、第１一次ギヤ１７５の側面に装着されている。第２一次ギヤ１８０は第１一次ギヤ１７５とともに回転する。二次ギヤ１８５は、第２一次ギヤ１８０と内側偏心リング２０５の歯２１０との間に配置される。
【００６６】
ギヤトレーンベアリング２２０は、ギヤトレーン１７０を所定箇所に固定する。メインベアリング１０５は、ギヤトレーン１７０が延出する切欠き部１０６を有する。
【００６７】
ストローク調整機構１００が回転バランスを確実に維持するように、釣合いおもり２００，２１５は各々の偏心リング１９０，２０５とともに回転する。釣合いおもり２００，２１５は、ゼロストローク長では相殺され、フルストロークでは協働する。ストローク調整機構１００、ひいては液圧機械１は、常にバランスが保たれている。
【００６８】
図１６は、メインベアリング１０５と外側および内側偏心リング１９０，２０５とギヤトレーン１７０との稜線図を示す。釣合いおもり２００，２１５は破線で示されている。
【００６９】
図１７は、ストローク調整機構１００の分解図である。
【００７０】
図１８から２０は、外側および内側偏心リング１９０，２０５を示す。図１８はギヤトレーン１７０も示す。
【００７１】
液圧機械１をモータとして作動させる時には、各バンク２０の５個のシリンダアセンブリ５０がクランクシャフト１５へ連続的に力を印加するため、クランクシャフト１５に回転運動が付与される。回転運動は、ブルギヤ１２０を介してレイシャフト１１０へ伝達される。
【００７２】
液圧機械１をポンプとして作動させる時には、動力継手５が回転する。シリンダアセンブリ５０は、クランクシャフト１５の回転によって駆動される。ゆえに、液圧機械１から作動液が供給される。
【００７３】
発明の範囲を逸脱することなく多くの変形が可能であることは、発明の技術分野の熟練者には理解できるだろう。
【００７４】
以下の請求項と前掲した発明の説明においては、明白な文言または必要な含意のために文脈上、他の意味を必要とする場合を除いて、“ｃｏｍｐｒｉｓｅ”、または“ｃｏｍｐｒｉｓｅｓ”、“ｃｏｍｐｒｉｓｉｎｇ”など変形した語は、包括的な意味で、つまり記載された特徴の存在を明記するが、発明の様々な実施例における別の特徴の存在または追加を除外しないように使用される。
【図面の簡単な説明】
【００７５】
【図１】本発明の実施例による液圧機械のハウジングの平面図である。
【図２】ハウジングが除去された状態の、図１に図示された液圧機械の平面図である。
【図３】図２に図示された液圧機械の図である。
【図４】出力フランジが除去された状態の、図３に図示された液圧機械の端面図である。
【図５】図１のＢ‐Ｂ断面における液圧機械の断面図である。
【図６】図５のＡ‐Ａ断面における液圧機械の断面図である。
【図７】液圧機械のクランクシャフトとシリンダユニットとスラストブロックとの原理図である。
【図８】図７のクランクシャフトとシリンダユニットとスラストブロックの側面図である。
【図９】図７のクランクシャフトと接続ロッドとシリンダユニットとスラストブロックの端面図である。
【図１０】図８のＡ‐Ａ断面におけるクランクシャフトと接続ロッドとシリンダユニットとスラストブロックの断面図である。
【図１１】図１０のＢ‐Ｂ断面におけるクランクシャフトと接続ロッドとシリンダユニットとスラストブロックの断面図である。
【図１２】液圧機械のクランクアセンブリの原理図である。
【図１３】一対のレイシャフトとらせんシャフトを備える、図１２のクランクアセンブリの図である。
【図１４】外装を備える、図１３のクランクアセンブリの図である。
【図１５】図１３のストローク調整アセンブリの図である。
【図１６】図１５の内側および外側偏心器とギヤトレーンの端面図である。
【図１７】液圧機械の内側および外側偏心器とギヤトレーンの分解図である。
【図１８】図１７の組立済み内側および外側偏心器とギヤトレーンの図である。
【図１９】内側偏心リングの端面図である。
【図２０】外側偏心リングの端面図である。
【図１】
2007516380.tif 000003
【図２】
2007516380.tif 000004
【図３】
2007516380.tif 000005
【図４】
2007516380.tif 000006
【図５】
2007516380.tif 000007
【図６】
2007516380.tif 000008
【図７】
2007516380.tif 000009
【図８】
2007516380.tif 000010
【図９】
2007516380.tif 000011
【図１０】
2007516380.tif 000012
【図１１】
2007516380.tif 000013
【図１２】
2007516380.tif 000014
【図１３】
2007516380.tif 000015
【図１４】
2007516380.tif 000016
【図１５】
2007516380.tif 000017
【図１６】
2007516380.tif 000018
【図１７】
2007516380.tif 000019
【図１８】
2007516380.tif 000020
【図１９】
2007516380.tif 000021
【図２０】
2007516380.tif 000022
【国際調査報告】
2007516380.tif 000023
2007516380.tif 000024
2007516380.tif 000025